(57)【要約】【課題】カード挿入前の状態にあって挿入口を塞ぐことができると共に、複数のカードのうちのどのカードの挿入時にあっても、挿入口に隙間が生じることを防止できる。【解決手段】小さい幅寸法Ｌ１を有する第１カード１、挿入口５の幅寸法にほぼ等しい大きい幅寸法Ｌ２（＞Ｌ１）を有する第２カード２のそれぞれが挿入される挿入口５を備え、この挿入口５を開閉する方向に回動可能に設けられると共に、挿入口５の幅方向に沿って延設される第１扉２０と第２扉２１とを設け、第１扉２０の幅寸法を第１カード１の幅寸法Ｌ１に等しく設定し、第２扉２１の幅寸法を第２カード２の幅寸法Ｌ２から第１扉２０の幅寸法を引いた寸法（Ｌ２−Ｌ１）に等しく設定した。【選択図】図４
2005352573.tif 000002
【特許請求の範囲】
【請求項１】
幅寸法が異なる複数のカードのそれぞれが挿入される挿入口を備え、
この挿入口を開閉する方向に回動可能に設けられると共に、この挿入口の幅方向に沿って延設され、上記複数のカードのそれぞれの幅寸法に適合する幅寸法を形成し得る複数の扉を備えたことを特徴とするカード用コネクタ装置。
【請求項２】
上記請求項１記載の発明において、
上記複数のカードのうちの、幅寸法が小さい所定のカードを上記挿入口へ挿入した状態で、上記複数の扉のうちの閉鎖状態にある扉を開扉不能に保持する第１ロック手段を備えたことを特徴とするカード用コネクタ装置。
【請求項３】
上記請求項１または２記載の発明において、
上記複数のカードが、上記所定のカードである第１カードと、この第１カードよりも幅寸法が大きい第２カードから成り、
上記複数の扉が、上記第１カードの幅寸法に適合する幅寸法を有する第１扉と、上記第２カードの幅寸法から上記第１扉の幅寸法を引いた寸法に適合する幅寸法を有する第２扉とから成ることを特徴とするカード用コネクタ装置。
【請求項４】
上記請求項３記載の発明において、
上記挿入口に第１カードが正しく挿入されないときに上記第１扉を閉鎖状態にロックすると共に、上記挿入口に上記第２カードが挿入されたときに上記第１扉及び上記第２扉のロックを解除する第２ロック手段を備えたことを特徴とするカード用コネクタ装置。
【発明の詳細な説明】
【技術分野】
【０００１】
本発明は、幅寸法が異なる複数のカードのそれぞれが挿入可能なカード用コネクタ装置に関する。
【背景技術】
【０００２】
この種の従来技術として、例えば特許文献１に記載の技術がある。この特許文献１には、幅寸法が異なる複数のカードのそれぞれが挿入口から挿入可能に構成されたカード用コネクタ装置が開示されている。
【特許文献１】特開２００１−２２３０４４公報
【発明の開示】
【発明が解決しようとする課題】
【０００３】
このようなカード用コネクタ装置にあっては従来から、塵埃あるいは異物の侵入を防止するために、カードの挿入口に扉を設けたいという要望があった。この要望に対しては例えば、幅寸法の大きいカードに適合する単に一枚の扉で挿入口を塞ぐ構成が考えられる。しかし、このように構成した場合には、上述の幅寸法の大きいカードよりも小さい他のカードを挿入口から挿入させた際にあっても扉が開くので、挿入した他のカードと挿入口の縁部との間に隙間を生じてしまうことになる。
【０００４】
すなわち、特許文献１に示される従来技術において、挿入口を塞ぐ単に一枚の扉を設けた場合には、幅寸法の大きいカード、小さいカードの挿入前、及び幅寸法の大きいカードの挿入時にあっては、挿入口に隙間が形成されないので塵埃あるいは異物の侵入の防止に有効であるが、幅寸法の小さいカードの挿入時には、隙間から塵埃あるいは異物が侵入してしまう虞がある。
【０００５】
本発明は、上述した従来技術における実状からなされたもので、その目的は、カード挿入前にあって挿入口を塞ぐことができると共に、複数のカードのうちのどのカードの挿入時にあっても、挿入口に隙間が生じることを防止できるカード用コネクタ装置を提供することにある。
【課題を解決するための手段】
【０００６】
上記目的を達成するために、本発明は、幅寸法が異なる複数のカードのそれぞれが挿入される挿入口を備え、この挿入口を開閉する方向に回動可能に設けられると共に、この挿入口の幅方向に沿って延設され、上記複数のカードのそれぞれの幅寸法に適合する幅寸法を形成し得る複数の扉を備えたを特徴としている。
【０００７】
このように構成した本発明は、複数のカードそれぞれの挿入前にあっては、複数の扉の全てが閉鎖状態に保たれることにより、挿入口を塞ぐことができる。
【０００８】
このような状態から、例えば幅寸法が小さい一つのカードが挿入されると、複数の扉のうちの、その一つのカードに適合する扉のみが回動する。したがって、他の扉は閉鎖状態に保たれ、挿入口に隙間が生じることを防止できる。
【０００９】
また、上述のようなカード挿入前の閉鎖状態から、上述した一つのカードよりも幅寸法の大きい別のカードが挿入されると、この別のカードの幅寸法に適合する例えば複数の扉が同時に回動する。したがって、この別のカードの挿入時にあっても挿入口に隙間が生じることを防止できる。
【００１０】
また本発明は、上記発明において、上記複数のカードのうちの、幅寸法が小さい所定のカードを上記挿入口へ挿入した状態で、上記複数の扉のうちの閉鎖状態にある扉を開扉不能に保持する第１ロック手段を備えたことを特徴としている。
【００１１】
このように構成した本発明は、幅寸法が小さい所定のカードが挿入されている状態では、第１ロック手段によって閉鎖状態にある扉に与えられる何らかの外力による当該閉鎖状態にある扉の開扉を防止できるので、隙間の発生をより確実に防止できる。
【００１２】
また本発明は、上記発明において、上記複数のカードが、上記所定のカードである第１カードと、この第１カードよりも幅寸法が大きい第２カードから成り、上記複数の扉が、上記第１カードの幅寸法に適合する幅寸法を有する第１扉と、上記第２カードの幅寸法から上記第１扉の幅寸法を引いた寸法に適合する幅寸法を有する第２扉とから成ることを特徴としている。
【００１３】
このように構成した本発明は、第１カードの挿入時には第１扉が開方向に回動し、第２扉が閉鎖状態に保たれる。また、第２カードの挿入時には第１扉と第２扉の双方が開方向に回動する。
【００１４】
また本発明は、上記発明において、上記挿入口に上記第１カードが正しく挿入されないときに上記第１扉を閉鎖状態にロックすると共に、上記挿入口に上記第２カードが挿入されたときに上記第１扉及び上記第２扉のロックを解除する第２ロック手段を含むことを特徴としている。
【００１５】
このように構成した本発明は、第１カードを誤って第１扉の位置とは異なる第２扉の位置から挿入しようとしても、第１扉が開くことがなく、第１カードを挿入することができない。すなわち、第１カードの誤挿入を防止できる。
【発明の効果】
【００１６】
本発明は、複数のカードそれぞれの挿入前にあっては、全ての扉によって挿入口を塞ぐことができ、この挿入口からの塵埃あるいは異物の侵入を防止できる。また、複数のカードのうちのどのカードの挿入時にあっても、対応する扉が開くことにより隙間が生じることを防止でき、したがって挿入口からの塵埃あるいは異物の侵入を防止できる。すなわち本発明は、従来からの要望に応えることができ、精度の高い塵埃あるいは異物の挿入口からの侵入防止機能を確保できる。
【発明を実施するための最良の形態】
【００１７】
以下，本発明に係るカード用コネクタ装置を実施するための最良の形態を図に基づいて説明する。
【００１８】
［本実施形態で使用される第１カード］
図１は本発明のカード用コネクタ装置の実施形態に使用される第１カードを示す図で、（ａ）図は平面図、（ｂ）図は側面図、（ｃ）図は背面図、（ｄ）図は要部側断面図である。この図１に示す第１カード１はＩＣカード等から成り、全体形状を長方形に形成してある。この第１カード１の上面１ａと下面１ｂ間の厚さ寸法はｔ、幅寸法はＬ１に設定してある。この第１カード１を後述する本発明の実施形態に係るカード用コネクタ装置の所定の装着位置に装着させた際に、装置奥側に位置する前端部１ｃ側には、開口部が形成され、この開口部に電気接続に活用させる接触部１ｄを臨ませてある。１ｅ，１ｆは、それぞれ第１カード１の一方の側部、他方の側部である。
【００１９】
［本実施形態に活用される第２カード］
図２は本発明の実施形態に使用される第２カードを示す図で、（ａ）図は平面図、（ｂ）図は側面図、（ｃ）図は背面図、（ｄ）図は要部側断面図である。この図２に示す第２カード２も、ＩＣカード等から成り、全体形状を長方形に形成してある。この第２カード２の上面２ａと下面２ｂ間の厚さ寸法は、例えば前述した第１カード１と同等の厚さ寸法ｔに設定してある。幅寸法は、第１カード１の幅寸法Ｌ１よりも大きな幅寸法Ｌ２に設定してある。この第２カード２は、第１カード１よりも大きな情報記憶容量を確保できる。この第２カード２の前端部２ｃにも開口部が形成され、この開口部に電気接続に活用される接触部２ｄを臨ませてある。２ｇは第２カード２の一方の側部、２ｉは他方の側部である。
【００２０】
本実施形態は、例えばこのような幅寸法が異なる複数のカードである第１カード１、第２カード２のいずれかが、選択的に挿入可能になっている。
【００２１】
［第１実施形態の基本構成］
図３は本発明のカード用コネクタ装置の第１実施形態において要部である扉を除いた内部構成の概略を示す図で、（ａ）図は平面図、（ｂ）図は正面図である。この図３に示すように、第１実施形態は、本体を構成するハウジング３内に前述の第１カード１、第２カード２のいずれかを選択的に収納可能なカード収納部４を備えている。このカード収納部４の一方の側部には、装置奥側から第１カード１、第２カード２が挿入される挿入口５側へ向って延設された第１ガイド部７、すなわち第１カード１の一方の側部１ｅ、第２カード２の一方の側部２ｇを案内する第１ガイド部７を形成してある。カード収納部４の他方の側部には、装置奥側から挿入口５側へ向かって延設された第２ガイド部９、すなわち第２カード２の他方の側部２ｉを案内する第２ガイド部９を形成してある。
【００２２】
ハウジング３の前面に形成されるカードの挿入口５の幅寸法は、第２カード２の幅寸法Ｌ２とほぼ同等に設定してある。
【００２３】
カード収納部４の装置奥側位置には、第１カード１の接触部１ｄ、第２カード２の接触部２ｄのそれぞれが接続される複数の接続端子６ａを有する接続部６を配置してある。
【００２４】
また、装置奥側位置には、カード収納部４に収納され、所定の装着位置に装着された第１カード１、第２カード２を排出させる排出部材１０を配置してある。この排出部材１０は、例えば支軸１１に回動可能に取付けられており、所定の装着位置に装着された第１カード１の前端部１ｃ、第２カード２の前端部２ｃに当接する当接部１０ａと、図示しない操作手段に係合する操作部１０ｂとを備えている。
【００２５】
［第１実施形態の要部構成］
図４は本発明の第１実施形態の要部を構成する扉部分を示す正面図、図５は図４のＡ部を拡大して示した要部断面図、図６は図４のＢ部を拡大して示した要部断面図、図７は図４のＣ部を拡大して示した要部断面図である。図８は図４のＤ部拡大図、図９は図８のＤ１−Ｄ１断面拡大図、図１０は図４のＥ部拡大図、図１１は図１０のＥ１−Ｅ１断面拡大図である。
【００２６】
図４に示すように、本実施形態は特に、挿入口５を開閉する方向に回動可能に設けられると共に、この挿入口５の幅方向に沿って延設され、複数のカード、すなわち第１カード１、第２カード２のそれぞれの幅寸法Ｌ１，Ｌ２に適合する幅寸法を形成し得る複数の扉、例えば第１扉２０と第２扉２１とを備えている。
【００２７】
第１扉２０は、第１カード１の幅寸法Ｌ１に適合する幅寸法Ｌ１を有する。第２扉２１は、第２カード２の幅寸法Ｌ２から第１扉２０の幅寸法Ｌ１を引いた寸法（Ｌ２−Ｌ１）に適合する幅寸法（Ｌ２−Ｌ１）を有する。
【００２８】
図５に示すように、第１扉２０の一側部には回動軸２０ａを例えば一体に形成してあり、ハウジング３には、回動軸２０ａが回動自在に挿入される第１軸穴３ａを形成してある。また、第１扉２０の回動軸２０ａには、第１扉２０を閉じる方向に付勢するねじりコイルばねから成る第１ばね２４を装着させてある。
【００２９】
図６に示すように、第１扉２０の他端側にも回動軸２０ｂを例えば一体に形成してあり、第２扉２１の一側部には回動軸２０ｂが回動自在に挿入される軸穴２１ａを形成してある。すなわち、第１扉２０と第２扉２１とは第１扉２０に設けた回動軸２０ｂによって連結させてある。
【００３０】
図７に示すように、第２扉２１の他側部には回動軸２１ｂを例えば一体に形成してあり、ハウジング３には回動軸２１ｂが回動自在に挿入される第２軸穴３ｂを形成してある。また、第２扉２１の回動軸２１ｂには、第２扉２１を閉じる方向に付勢するねじりコイルばねから成る第２ばね２５を装着させてある。
【００３１】
また、この第１実施形態は、図８，９に示すように、第１扉２０を閉状態にロックする第１ロック部材２２と、図１０，１１に示すように、第２扉２１を閉状態にロックする第２ロック部材２３とを備えている。これらの第１，第２ロック部材２２，２３は、ばね性を有する金属部材から成っており、それぞれ上述した第１，第２ばね２４，２５の力に抗して第１，第２扉２０，２１を係止させる第１係止部２２ａ，２３ａを備えている。また、第１，第２扉２０，２１に加えられる不測の外力によって第１，第２扉２０，２１が開かないように、第１，第２扉２０，２１の開方向の回動を規制する第２係止部２２ｂ，２３ｂを有する。なお、第１ロック部材２２と第２ロック部材２３との間隔は、第１カード１の幅寸法Ｌ１よりも大きく設定してある。
【００３２】
上述した２つのロック部材２２，２３のうち、第２ロック部材２３は、複数のカードすなわち第１カード１、第２カード２のうちの、幅寸法が小さい所定のカードである第１カード１を挿入口５へ挿入した状態で、閉鎖状態となる第２扉２１を開扉不能に保持する第１ロック手段を構成している。
【００３３】
また、第１ロック部材２２、及び第２ロック部材２３は、挿入口５に第１カード１が正しく挿入されないときに第１扉２０を閉鎖状態にロックすると共に、挿入口５に第２カード２が挿入される場合に第１，第２扉２０，２１のロックを解除する第２ロック手段を構成している。
【００３４】
［第１カードの挿入動作］
図１２は第１実施形態に第１カードを装着させた状態を示す図で、（ａ）図は平面図、（ｂ）図は正面図である。例えば、図１に示す第１カード１をハウジング３の挿入口５に挿入する場合は、図１２に示すように、第１カード１を同図１２の左側位置から挿入させればよい。この第１カード１の挿入に際し、第１カード１の前端部１ｃによって図９に示す第１ロック部材２２が隙間３ｃをなくすように押し下げられて第１扉２１のロックが解除される。また、第１カード１の前端部１ｃによって第１扉２０が第１ばね２４の力に抗して回動する。ハウジング３内に挿入された第１カード１は、例えばその側部１ｅがハウジング３の第１ガイド部７に案内されながら所定の装着位置まで押し込まれる。所定の装着位置に至ると、第１カード１の接触部１ｄとハウジング３の接続部６とが接続され、この第１カード１に対する信号の送受信が可能となる。なお、このように第１カード１が所定の装着位置に保持されている状態では、図１２の（ｂ）図に示すように、第２扉２１は第２ロック部材２３によって閉鎖状態に保持される。
【００３５】
上述の状態から第１カード１を排出する場合には、図３に示す排出部材１０の操作部１０ｂが操作され、これによって第１カード１は挿入口５方向に押し出される。第１カード１を挿入口５から抜き取ると、図５に示す第１ばね２４のばね力により第１扉２０は閉方向に回動し、その下端が第２係止部２２ｂを乗り上げ、第１係止部２２ａによって係止され、初期形態に復帰する。
【００３６】
［第２カードの挿入動作］
図１３は第１実施形態に第２カードを装着させた状態を示す図で、（ａ）図は平面図、（ｂ）図は正面図である。図２に示す第２カード２をハウジング３の挿入口５に挿入すると、図１３に示すように、第２カード２の前端部２ｃによって図９に示す第１ロック部材２２と図１１に示す第２ロック部材２３とが隙間３ｃ，３ｄをなくすように押し下げられて、第１扉、第２扉２０，２１の双方のロックが解除される。また、第２カード２の前端部２ｃによって第１、第２扉２０，２１が第１，第２ばね２４，２５の力に抗して回動する。ハウジング３内に挿入された第２カード２は、例えばそれぞれその側部２ｇ，２ｉが第１，第２ガイド部７，９に案内されながら所定の装着位置まで押し込まれる。所定の装着位置に至ると、第２カード２の接触部２ｄとハウジング３の接続部６とが接続され、この第２カード２に対する信号の送受信が可能となる。
【００３７】
このような状態から第２カード２を排出する場合には、図３に示す排出部材１０の操作部１０ｂが操作され、これによって第２カード２は挿入口５方向に押し出される。第２カード２を挿入口５から抜き取ると、図５，７に示す第１、第２ばね２４，２５のばね力により第１、第２扉２０，２１は閉方向に回動し、それぞれの下端が第２係止部２２ｂ，２３ｂを乗り上げ、第１係止部２２ａ，２３ａによって係止され、初期形態に復帰する。
【００３８】
なお、誤って第１カード１が図１２の挿入口５の右側位置に挿入されようとした場合には、第２ロック部材２３が隙間３ｄをなくすように押し下げられ、第２扉２１のロックが解除するが、第１ロック部材２２を押し下げて第１扉２０のロックを解除することはできず、第１扉２０はロックされたままとなり、第１カード１は第１扉２０に当り、第２扉２１を開けない。したがって、第１カード１を挿入口５から挿入することができない。また、挿入口５の第１ロック部材２２と第２ロック部材２３の間の位置から第１カード１が挿入されようとした場合には、第１，第２ロック部材２２，２３を解除できないので、第１，第２扉２０，２１は閉じられたままであり、この場合も第１カード１を挿入口５から挿入することができない。
【００３９】
［第１実施形態の効果］
このように構成した本実施形態によれば、第１，第２カード１，２のそれぞれの挿入口５への挿入前にあっては、第１，第２扉２０，２１の双方が第１，第２ロック部材２２，２３によって閉鎖状態に保たれることにより、挿入口５を塞ぐことができ、この挿入口５からの塵埃あるいは異物の侵入を防止できる。
【００４０】
また、幅寸法が小さい第１カード１が挿入口５へ挿入されたときには、この第１カード１に適合する第１扉２０のみが回動し、第２扉２１は第２ロック部材２３によって閉鎖状態に保たれる。したがって、挿入口５に隙間を生じることがなく、この挿入口５からの塵埃あるいは異物の侵入を防止できる。
【００４１】
また、幅寸法が大きい第２カード２が挿入口５へ挿入されたときには、第１，第２扉２０，２１が回動し、挿入口５は第２カード２によって塞がれる。すなわち、挿入口５に隙間が生じることがなく、この挿入口５からの塵埃あるいは異物の侵入を防止できる。
【００４２】
すなわち、この第１実施形態は、精度の高い塵埃あるいは異物の挿入口５からの侵入防止機能を確保できる。
【００４３】
また、ハウジング３に第１カード１が挿入されている状態では、第２ロック部材２３によって、閉鎖状態にある第２扉２１に与えられる何らかの外力によるこの第２扉２１の開扉を防止でき、このような外力による挿入口５における隙間の発生を確実に防止できる。
【００４４】
また、第１カード１を誤って第１扉２０の位置とは異なる位置から挿入しようとしても、第１扉２０が開くことがなく、この第１カード１を挿入することができない。すなわち、第１カード１の誤挿入を防止できる。
【００４５】
［第２実施形態の要部構成］
図１４は本発明の第２実施形態の要部を構成する扉部分を示す正面図、図１５は図１４のＨ１−Ｈ１断面拡大図、図１６は図１５のＪ１−Ｊ１矢視に相応する要部断面図、図１７は第２実施形態に第１カードを装着させた状態を示す断面部分を含む側面図、図１８は図１７のＫ１−Ｋ１矢視に相応する要部断面図である。
【００４６】
図１４に示すように、この第２実施形態も、挿入口５に前述した第１実施形態におけるのと同等の第１扉２０と第２扉２１とを備えている。この第２実施形態は、特に、第１カード１の挿入口５へ挿入した状態で第２扉２１を開扉不能に保持する第１ロック手段の構成が、前述した第１実施形態におけるものと異なっている。
【００４７】
この第２実施形態は、第１カード１あるいは第２カード２のそれぞれの前端部１ｃ，２ｃによって押圧操作される操作ピン３１を備えている。この操作ピン３１は第１扉２０に形成した穴２０ｇに移動可能に収納されている。図１６，１８に示すように、この操作ピン３１の端部３１ａはテーパ形状に形成してあり、第１扉２０の内部に形成した第１空間部２０ｄに摺動可能に配置したスライド部材３２の端部に形成される傾斜部３２ａに係合させてある。
【００４８】
第１空間部２０ｄに隣接させた第１扉２０の第２空間部２０ｅ内には、第２スライド部材３２を引っ張るように付勢する第３ばね３３を配置してある。この第３ばね３３の一端は第２スライド部材３２に形成したばね受け３２ｃに係着させてあり、他端は第２空間部２０ｅを形成する壁面側に係着させてある。
【００４９】
図１６，１８に示すように、スライド部材３２は、このスライド部材３２に対して移動可能な係止ピン３４を備えている。またスライド部材３２の内部に形成したばね室３２ｂ内には、係止ピン３４に連設される第４ばね３５を収容させてある。係止ピン３４は、第１扉２０に形成した穴２０ｆに挿入させてあると共に、図１８に示すように、第２扉２１に形成した係止穴２１ｄに挿入可能になっている。
【００５０】
この第２実施形態では、上述した操作ピン３１、スライド部材３２、係止ピン３４、第４ばね３５、穴２０ｆ，２０ｇ、及び係止穴２１ｄによって、上述の第１ロック手段が構成されている。
【００５１】
その他の構成は、前述した第１実施形態における構成から、第１，第２ロック部材２２，２３を除いた構成と例えば同等である。
【００５２】
［第１カードの挿入動作］
この第２実施形態では、第１，第２カード１，２が挿入される前の初期状態では、図１４に示すように第１扉２０と第２扉２１とによって挿入口５が塞がれるものの、これらの第１，第２扉２０，２１は開方向への回動が可能となっている。
【００５３】
このような状態から、例えば第１カード１が第１扉２０に適合するようにして挿入口５から挿入されると、第１カード１の前端部１ｃによって操作ピン３１が第１扉２０の内部側に押し込められると共に、第１カード１の前端部１ｃによって第１扉２０が開方向に回動する。
【００５４】
上述した操作ピン３１の移動に伴って、第２スライド部材３２が図１６に示す第２扉２１方向に摺動する。このとき同図１６に示すように、係止ピン３４が第２扉２１の端部によって移動を規制され、第４ばね３５が撓められる。
【００５５】
第１カード１の挿入によって図１７に示すように、第１扉２０が初期形態から９０度回動すると、図１８に示すように、係止ピン３４が第２扉２１の係止穴２１ｄに一致する位置に至り、第３ばね３５のばね力により係止ピン３４が第２扉２１の係止穴２１ｄ内に挿入される。これにより、第２扉２１は、第１扉２０側の側部が回動軸２０ｂと係止ピン３４の２つの軸体で支持された状態となり、外力が与えられても開かないように保持される。このように第１カード１が所定の装着位置に保持されている状態では、第２扉２１は閉鎖状態にロックされる。
【００５６】
第１カード１の排出時には、第１カード１による操作ピン３１への押圧が解かれたときに、第３ばね３３の力によってスライド部材３２は初期形態に復帰するように摺動する。これによって、操作ピン３１が第１扉２０の前面から突出するように移動する。また、このときスライド部材３２の移動に伴って、係止ピン３４が第２扉２１の係止穴２１ｄから抜け出て、図１６に示すような状態となる。したがって、第１扉２０も上述した第１ばね２４のばね力を介して図１４に示す初期形態、すなわち挿入口５を塞ぐ形態に復帰する。
【００５７】
［第２カードの挿入動作］
第２カード２が挿入口５から挿入されたときは、操作ピン３１が第１扉２０内部に押し込められるので、この操作ピン３１、スライド部材３２、係止ピン３４等は上述と同様の動作を行なうが、基本的には第２カード２の前端部２ｃによって第１，第２扉２０，２１が同時に開方向に回動する。この第２カード２の排出時には、第１，第２ばね２４，２５のばね力により第１，第２扉２０，２１が同時に閉方向に回動し、第２カード２によって挿入口５を塞ぐ状態となる。
【００５８】
なお、誤って第１カード１が図１４の挿入口５の右側位置から挿入されたときには、第１，第２扉２０，２１が同時に開方向に回動することにより、第１カード１のカード収納部４への挿入が可能となる。この場合、第１カード１の接触部１ｄがハウジング３の接続部６に接触するように、本来の正しい位置、すなわち所定の装着位置まで動かされたときには、第２扉２１のみが第２ばね２５のばね力によって閉方向に移動する。この第２扉２１が挿入口５を塞ぐ初期形態に至ると、上述と同様の動作によって係止ピン３４が第２扉２１の係止穴２１ｄに挿入される。したがって、第１カード１が所定の装着位置に保持されている状態では、第２扉２１は閉鎖状態にロックされる。
【００５９】
［第２実施形態の効果］
このように構成した第２実施形態も、上述した第１実施形態におけるのと同様に、第１，第２カード１，２の挿入以前の初期状態では第１，第２扉２０，２１によって挿入口５が塞がれ、第１カード１を所定の装着位置に保持させた状態では第２扉２１が閉鎖状態にロックされることになり、挿入口５に隙間が生じることがない。さらに第２カード２が挿入口５から挿入されたときには、この第２カード２によって挿入口５が塞がれるので、挿入口５に隙間を生じることがない。これらにより、上述した第１実施形態におけるのと同等の精度の高い塵埃あるいは異物の挿入口５からの侵入防止機能を確保できる。
【００６０】
また、この第２実施形態も、上述した第１実施形態におけるのと同様に、ハウジング３に第１カード１が挿入されている状態では、上述した第１ロック手段によって、閉鎖状態にある第２扉２１に与えられる何らかの外力によるこの第２扉２１の開扉を防止でき、このような外力による挿入口５における隙間の発生を確実に防止できる。
【００６１】
また特に、この第２実施形態では、第１実施形態における第１，第２ロック部材２２，２３のように、ハウジング３の内部において上下方向に変位する部材を備えていないので、第１，第２カード１，２の挿入、排出動作を円滑に行なわせることができる。
【００６２】
［第３実施形態の要部構成］
図１９は本発明の第３実施形態の要部を構成する扉部分を示す正面図、図２０は本発明の第３実施形態の電気回路の要部構成を示すブロック図、図２１は図１９のＦ１−Ｆ１断面拡大図、図２２は図１９のＧ１−Ｇ１断面拡大図である。
【００６３】
図１９に示すように、この第３実施形態も、挿入口５に前述した第１実施形態におけるのと同等の第１扉２０と第２扉２１とを備えている。この第２実施形態も、特に、第１カード１の挿入口５への挿入時に第２扉２１を開扉不能に保持する第１ロック手段が第１実施形態におけるものと異なっている。さらに、この第３実施形態は、挿入口５に第１カード１が正しく挿入されないときに第１扉２０を閉鎖状態にロックすると共に、挿入口５に第２カード２が挿入されたときに第１，第２扉２０，２１のロックを解除する第２ロック手段の構成も第１実施形態におけるものと異なっている。
【００６４】
この第３実施形態は、図１９，２１，２２に示すように、第１カード１及び第２カード２の挿入を検出する第１センサ２６と、第２カード２の挿入を検出する第２センサ２７とを備えている。これらの第１センサ２６と第２センサ２７との間隔は、第１カード１の幅寸法Ｌ１よりも大きく設定してある。また、挿入口５が第１扉２０、第２扉２１で塞がれる初期状態において、第１扉２０をロックする第１ソレノイド２９と、第２扉２１をロックする第２ソレノイド３０とを備えている。初期状態においては、図２１に示すように、第１ソレノイド２９のプランジャ２９ａは第１扉２０の下端に形成した穴２０ｃ内に挿入され、図２２に示すように、第２ソレノイド３０のプランジャ３０ａは第２扉２１の下端に形成した穴２１ｃ内に挿入されている。これらにより、初期状態においては、第１，第２扉２０，２１に不測の外力が与えられても、第１，第２扉２０，２１が開扉しないように保持されている。
【００６５】
また図２０に示すように、第１，第２センサ２６，２７の信号を入力し、これらの信号に応じて第１，第２ソレノイド２９，３０を制御する制御部２８を備えている。この制御部２８は、第１センサ２６の信号のみが入力され、第２センサ２７の信号が入力されないときには、第１ソレノイド２９のプランジャ２９ａを第１扉２０の穴２０ｃから離脱させるように第１ソレノイド２９を制御し、第２ソレノイド３０に対しては、そのプランジャ３０ａを第２扉２１の穴２１ｃに挿入された状態を維持するように制御する。また、この制御部２８は、第１センサ２６、第２センサ２７の双方の信号が入力されたときには、第１，第２ソレノイド２９，３０のプランジャ２９ａ，３０ａを第１，第２扉２０，２１のそれぞれの穴２０ｃ，２１ｃから離脱させるように、第１，第２ソレノイド２９，３０を制御する。
【００６６】
上述した第１センサ２６、第２センサ２７、制御部２８、及び第２ソレノイド３０によって、第１カード１の挿入口５へ挿入した状態で第２扉２１を開扉不能に保持する第１ロック手段が構成されている。
【００６７】
また、第１センサ２６、第２センサ２７、制御部２８、及び第１，第２ソレノイド２９，３０によって、挿入口５に第１カード１が正しく挿入されないときに第１扉２０を閉鎖状態にロックすると共に、挿入口５に第２カード２が挿入されたときに第１，第２扉２０，２１のロックを解除する第２ロック手段が構成されている。
【００６８】
［第１カードの挿入動作］
この第３実施形態では、第１，第２カード１，２が挿入される前の初期状態では、図１９，２１，２２に示すように、第１扉２０と第２扉２１によって挿入口５が塞がれると共に、これらの第１，第２扉２０，２１が第１，第２ソレノイド２９，３０によって開扉不能に保持されている。
【００６９】
このような状態から、例えば第１カード１を第１扉２０に適合させるようにして挿入口５から挿入したとき、この第１カード１の挿入動作が第１センサ２６によって検出され、制御部２８に出力される。このとき制御部２８において、第１センサ２６からの信号のみが入力されていると判断され、第１ソレノイド２９に駆動信号が出力される。これによって、第１ソレノイド２９のプランジャ２９ａは直ちに第１扉２０の穴２０ｃから離脱するように作動する。したがって、第１扉２０が外力によって開方向に回動可能な状態となり、第１カード１の前端部１ｃによって第１扉２０が押されて回動し、第１カード１は押し込まれて、所定の装着位置に装着される。このように第１カード１が所定の装着位置に保持されている状態では、第２扉２１は第２ソレノイド３０によって閉鎖状態にロックされた状態となっている。
【００７０】
第１カード１の排出時には、第１カード１の引き抜き動作に伴って、第１ばね２４のばね力によって第１扉２０が挿入口５を塞ぐ初期状態に復帰する。第１カード１が挿入口５から抜き取られると、第１センサ２６から制御部２８に信号が出力される。この信号の入力に伴って制御部２８は第１ソレノイド２９に駆動信号を出力する。したがって、第１ソレノイド２９のプランジャ２９ａが第１扉２０の穴２０ｃ内に挿入され、この第１扉２０も再び閉鎖状態にロックされる。
【００７１】
［第２カードの挿入動作］
第２カード２が挿入口５から挿入されようとしたとき、この第２カード２の挿入動作が第１センサ２６及び第２センサ２７によって検出され、制御部２８に出力される。このとき制御部２８において、第１センサ２６と第２センサ２７の双方の信号が入力されていると判断され、第１ソレノイド２９及び第２ソレノイド３０の双方に駆動信号が出力される。これによって、第１，第２ソレノイド２９，３０のプランジャ２９ａ，３０ａは直ちに第１，第２扉２０，２１の穴２０ｃ，２１ｃから離脱するように作動する。したがって、第１，第２扉２０，２１の双方が外力によって開方向に回動可能な状態となり、第２カード２の前端部２ｃによって第１，第２扉２０，２１が押されて回動し、第２カード２は押し込まれて、所定の装着位置に装着される。
【００７２】
第２カード２の排出時には、第２カード２の引き抜き動作に伴って、第１，第２ばね２４，２５のばね力によって第１，第２扉２０，２１が挿入口５を塞ぐ初期状態に復帰する。第２カード２が挿入口５から抜き取られると、第１，第２センサ２６，２７から制御部２８に信号が出力される。これらの信号の入力に伴って制御部２８は、第１，第２ソレノイド２９，３０に駆動信号を出力する。したがって、第１，第２ソレノイド２９，３０のプランジャ２０ａ，３０ａが第１，第２扉２０，２１の穴２０ｃ，２１ｃ内に挿入され、これらの第１，第２扉２０，２１は再び閉鎖状態にロックされる。
【００７３】
［第３実施形態の効果］
このように構成した第３実施形態も、第１実施形態におけるのと同様に、第１，第２カード１，２のそれぞれの挿入口５への挿入前にあっては、第１，第２扉２０，２１の双方が第１，第２ソレノイド２９，３０によって閉鎖状態にロックされることにより、挿入口５を塞ぐことができ、この挿入口５からの塵埃あるいは異物の侵入を防止できる。
【００７４】
また、幅寸法が小さい第１カード１が挿入口５へ挿入されたときには、この第１カード１に適合する第１扉２０のみを回動させることができ、第２扉２１は第２ソレノイド３０によって閉鎖状態にロックされる。したがって、挿入口５に隙間を生じることがなく、この挿入口５からの塵埃あるいは異物の侵入を防止できる。
【００７５】
また、幅寸法が大きい第２カード２が挿入されたときには、第１，第２扉２０，２１の双方が回動し、挿入口５は第２カード２によって塞がれる。すなわち、挿入口５に隙間が生じることがなく、この挿入口５からの塵埃あるいは異物の侵入を防止できる。
【００７６】
すなわち、この第３実施形態も、第１実施形態におけるのと同様に、精度の高い塵埃あるいは異物の挿入口５からの侵入防止機能を確保できる。
【００７７】
また、ハウジング３に第１カード１が挿入されている状態では、第２ソレノイド３０によって、閉鎖状態にある第２扉２１に与えられる何らかの外力によるこの第２扉２１の開扉を防止でき、このような外力による挿入口５における隙間の発生を確実に防止できる。
【００７８】
また、第１カード１を誤って第１扉２０の位置とは異なる第２扉２１の位置から挿入しようとしても、第１センサ２６の信号が検出されないことから、制御部２８は、第１，第２扉２０，２１を開扉不能にするように第１，第２ソレノイド２９，３０を制御する。したがって、第１，第２扉２０，２１は閉鎖状態にロックされたままであり、第１カード１を挿入することができない。すなわち、第１カード１の誤挿入を確実に防止できる。また、第１カード１を誤って挿入口５の第１センサ２６と第２センサ２７との間の位置から挿入しようとしたときには、第１，第２センサ２６，２７の双方から信号が出力されず、したがって制御装置２８は、第１，第２扉２０，２１を開扉不能にするように第１，第２ソレノイド２９，３０を制御する。このときも上述と同様に、第１カード１を挿入することができない。
【００７９】
［別の実施形態］
なお、この第３実施形態における動作の変形例として、挿入口５への第１，第２カード１，２の挿入前の状態において、第１，第２ソレノイド２９，３０を、これらのプランジャ２９ａ，３０ａが第１，第２扉２０，２１の穴２０ｃ，２１ｃから離脱している形態に保持するようにしてもよい。
【００８０】
このようにした場合には、第１カード１が第１扉２０側から挿入されようとするとき、この第１カード１の挿入が第１センサ２６によって検出される。この第１センサ２６のみの信号に応じて制御部２８は、第１ソレノイド２９を今までの状態を維持するように制御し、第２ソレノイド３０に対しては駆動信号を出力する。これによって、第１カード１による第１扉２０の回動が可能になると共に、第２ソレノイド３０のプランジャ３０ａが第２扉２１の穴２１ｃに挿入され、第２扉２１は閉鎖状態にロックされる。すなわち、第１カード１が所定の装着位置に装着されている状態では、第２扉２１は開扉不能に保持される。
【００８１】
また、第２カード２が挿入口５から挿入されようとするとき、この第２カード２の挿入が第１，第２センサ２６，２７によって検出される。これらの第１，第２センサ２６，２７からの信号に応じて、制御部２８は第１，第２ソレノイド２９，３０を今までの状態を維持するように制御する。これによって、第２カード２による第１，第２扉２０，２１の回動が可能になる。
【００８２】
また、第１カード１を誤って第２扉２１側から挿入しようとしたときには、この第１カード１の挿入が第２センサ２７で検出される。制御部２８は、第１センサ２６のみの信号の入力でなく、また、第１，第２センサ２６，２７の双方の信号の入力でもないことから、例えば第１，第２ソレノイド２９，３０の双方に駆動信号を出力する。これによって、第１，第２ソレノイド２９，３０のプランジャ２９ａ，３０ａのそれぞれが第１，第２扉２０，２１の穴２０ｃ，２１ｃに挿入され、第１，第２扉２０，２１は閉鎖状態にロックされる。したがって、この場合には第１カード１を挿入することはできない。なお、挿入口５部分から第１カード１を抜き取ると、その動作が第２センサ２７で検出され、この信号に応じて制御部２８は第１，第２ソレノイド２９，３０に、これらのプランジャ２９ａ，３０ａを第１，第２扉２０，２１の穴２０ｃ，２１ｃから離脱させる制御を行なう。これにより、第１，第２扉２０，２１部分は初期状態に復帰する。
【００８３】
このように第１，第２プランジャ２９，３０を制御するように構成しても、前述した第３実施形態におけるのと同等の効果を得ることができる。
【００８４】
また、上記各実施形態では、挿入口５の幅方向に２つの扉、すなわち第１，第２扉２０，２１を設けたが、３つ以上の扉を設けた構成にすることもできる。例えば、互いに幅寸法の異なる第１カード１と第２カード２のそれぞれを、挿入口５の幅寸法よりも小さく設定し、第１カード１は挿入口５の左寄りの位置から挿入し、第２カード２は挿入口５の右寄りの位置から挿入するものとし、挿入口５の幅方向に連設される３つの扉、すなわち最左側位置に第１扉、これに連設して第２扉、最右側位置に第３扉を設ける構成とすることもできる。この場合、例えば第１扉の幅寸法と第２扉の幅寸法を合計した寸法が第１カード１の幅寸法に一致するようにし、第２扉の幅寸法と第３扉の幅寸法を合計した寸法が第２カード２の幅寸法に一致するように構成することもできる。
【００８５】
さらに例えば、幅寸法の異なる３つのカード、すなわち第１，第２，第３カードが挿入口から挿入可能であって、第３カードの幅寸法を挿入口５の幅寸法にほぼ等しく設定し、第１カード、第２カードの幅寸法を第３カードの幅寸法よりも小さく設定し、第２カードの幅寸法を第１カードの幅寸法よりも大きく設定すると共に、挿入口５の幅方向に連設される３つの扉、すなわち最左側位置に第１扉、これに連設させて第２扉、最右側位置に第３扉を設ける構成とすることもできる。この場合、例えば第１扉の幅寸法を第１カードの幅寸法に等しく設定し、第２扉を第２カードの幅寸法から第１扉の幅寸法を引いた寸法に等しい幅寸法を有するように設定し、第３扉を第３カードの幅寸法から第１扉、第２扉の幅寸法を引いた寸法に等しい幅寸法を有するように設定した構成とすることもできる。
【図面の簡単な説明】
【００８６】
【図１】本発明のカード用コネクタ装置の実施形態に使用される第１カードを示す図で、（ａ）図は平面図、（ｂ）図は側面図、（ｃ）図は背面図、（ｄ）図は要部側断面図である。
【図２】本発明の実施形態に使用される第２カードを示す図で、（ａ）図は平面図、（ｂ）図は側面図、（ｃ）図は背面図、（ｄ）図は要部側断面図である。
【図３】本発明のカード用コネクタ装置の第１実施形態において要部である扉を除いた内部構成の概略を示す図で、（ａ）図は平面図、（ｂ）図は正面図である。
【図４】本発明の第１実施形態の要部を構成する扉部分を示す正面図である。
【図５】図４のＡ部を拡大して示した要部断面図である。
【図６】図４のＢ部を拡大して示した要部断面図である。
【図７】図４のＣ部を拡大して示した要部断面図である。
【図８】図４のＤ部拡大図である。
【図９】図８のＤ１−Ｄ１断面拡大図である。
【図１０】図４のＥ部拡大図である。
【図１１】図１０のＥ１−Ｅ１断面拡大図である。
【図１２】第１実施形態に第１カードを装着させた状態を示す図で、（ａ）図は平面図、（ｂ）図は正面図である。
【図１３】第１実施形態に第２カードを装着させた状態を示す図で、（ａ）図は平面図、（ｂ）図は正面図である。
【図１４】本発明の第２実施形態の要部を構成する扉部分を示す正面図である。
【図１５】図１４のＨ１−Ｈ１断面拡大図である。
【図１６】図１５のＪ１−Ｊ１矢視に相応する要部断面図である。
【図１７】第２実施形態に第１カードを装着させた状態を示す断面部分を含む側面図である。
【図１８】図１７のＫ１−Ｋ１矢視に相応する要部断面図である。
【図１９】本発明の第３実施形態の要部を構成する扉部分を示す正面図である。
【図２０】本発明の第３実施形態の電気回路の要部構成を示すブロック図である。
【図２１】図１９のＦ１−Ｆ１断面拡大図である。
【図２２】図１９のＧ１−Ｇ１断面拡大図である。
【符号の説明】
【００８７】
１    第１カード
１ｄ  接触部
２    第２カード
２ｄ  接触部
３    ハウジング
３ａ  第１軸穴
３ｂ  第２軸穴
３ｃ  隙間
３ｄ  隙間
３ｅ  係止部
４    カード収納部
５    挿入口
６    接続部
２０    第１扉（第２ロック手段）
２０ａ  回動軸
２０ｂ  回動軸
２０ｃ  穴
２０ｄ  第１空間部
２０ｅ  第２空間部
２０ｆ  穴（第１ロック手段）
２０ｇ  穴（第１ロック手段）
２１    第２扉
２１ａ  軸穴
２１ｂ  回動軸
２１ｃ  穴
２１ｄ  係止穴（第１ロック手段）
２２    第１ロック部材（第２ロック手段）
２２ａ  第１係止部
２２ｂ  第２係止部
２３    第２ロック部材（第１ロック手段）（第２ロック手段）
２３ａ  第１係止部
２３ｂ  第２係止部
２４    第１ばね
２５    第２ばね
２６    第１センサ（第１ロック手段）（第２ロック手段）
２７    第２センサ（第１ロック手段）（第２ロック手段）
２８    制御部（第１ロック手段）（第２ロック手段）
２９    第１ソレノイド（第２ロック手段）
２９ａ  プランジャ
３０    第２ソレノイド（第１ロック手段）（第２ロック手段）
３０ａ  プランジャ
３１    操作ピン（第１ロック手段）
３１ａ  端部
３２    スライド部材（第１ロック手段）
３２ａ  傾斜部
３２ｂ  ばね室
３２ｃ  ばね受け
３３    第３ばね
３４    係止ピン（第１ロック手段）
３５    第４ばね（第１ロック手段）
【図１】
2005352573.tif 000003
【図２】
2005352573.tif 000004
【図３】
2005352573.tif 000005
【図４】
2005352573.tif 000006
【図５】
2005352573.tif 000007
【図６】
2005352573.tif 000008
【図７】
2005352573.tif 000009
【図８】
2005352573.tif 000010
【図９】
2005352573.tif 000011
【図１０】
2005352573.tif 000012
【図１１】
2005352573.tif 000013
【図１２】
2005352573.tif 000014
【図１３】
2005352573.tif 000015
【図１４】
2005352573.tif 000016
【図１５】
2005352573.tif 000017
【図１６】
2005352573.tif 000018
【図１７】
2005352573.tif 000019
【図１８】
2005352573.tif 000020
【図１９】
2005352573.tif 000021
【図２０】
2005352573.tif 000022
【図２１】
2005352573.tif 000023
【図２２】
2005352573.tif 000024